(57)【要約】【課題】上下揺動自在なフロントに設けられる油圧アクチュエータへの圧油流路となるフロント用油圧配管を、他部材に干渉したりすることなく円滑に変形できるようにする。【解決手段】油圧ホース１０Ａを、平面視においてフロント４を上下揺動自在に軸支する左右の取付座フレーム１１、１１のあいだに配する一方、該取付座フレーム１１に、油圧ホース１０Ａの中間部を保持するクランプ１６を、上下移動自在および角度変位自在な状態でガイドするガイド部材１７を設けた。【選択図】        図６
2004250990.tif 000002
【特許請求の範囲】
【請求項１】
油圧アクチュエータを備えたフロントの基端部を、機体側に突設された左右の取付座フレームに上下揺動自在に軸支してなる建設機械において、機体側に設けられる油圧装置から前記油圧アクチュエータへの圧油流路となるフロント用油圧配管を、平面視において前記左右の取付座フレームのあいだに配するにあたり、該取付座フレームに、上記フロント用油圧配管の中間部を保持するクランプを移動自在にガイドするガイド部材を設けたことを特徴とする建設機械における配管構造。
【請求項２】
請求項１において、クランプは、ガイド部材に形成されるガイド溝に、上下移動自在および角度変位自在な状態でガイドされることを特徴とする建設機械における配管構造。
【請求項３】
請求項１または２において、ガイド部材は、取付座フレームから上方に突出していることを特徴とする建設機械における配管構造。
【発明の詳細な説明】
【０００１】
【発明の属する技術分野】
本発明は、油圧ショベル等の建設機械における配管構造の技術分野に属するものである。
【０００２】
【従来の技術】
一般に、油圧ショベル等の建設機械に装着されるフロントには油圧シリンダ等の油圧アクチュエータが備えられており、該油圧アクチュエータへの圧油供給に基づいてフロントによる作業を行うことができるように構成されているが、このものにおいて、機体側に搭載される油圧装置からフロント側の油圧アクチュエータへの圧油の流路となるフロント用油圧配管は、作業に伴うフロントの上下揺動に対応できるように構成する必要があり、そこで、前記油圧配管の少なくとも一部は、可撓性を有した油圧ホースを用いて構成されている。そして、該油圧ホースは、フロントの上下揺動に伴い伸びたり撓んだりして変形することになるが、このとき、油圧ホースが機体側の部材やフロントに干渉して引っ掛かったりすると、傷付いたり変形が妨げられたりする惧れがある。
これを回避するため、従来、フロントが機体に対して左右にスイングできるように構成されたスイング機構付きの油圧ショベルにおいて、油圧ホースの中間部を自由度を持った状態で拘束する案内部材を、上下変位できるように構成したものが提唱されている（例えば、特許文献１参照。）。
【０００３】
【特許文献１】
特開２０００−３８７４０号公報
【０００４】
【発明が解決しようとする課題】
しかるに、前記特許文献のものは、案内部材の枠内に複数の油圧ホースが自由状態で挿通されているから、フロントが上下動する度に油圧ホースが案内部材の枠内を移動することになり、油圧ホース同士あるいは油圧ホースと案内部材とが擦れて油圧ホースの早期の損傷を招来する惧れがある。
また、前記特許文献のものは、フロントが機体に対して左右にスイングできるスイング機構付きの油圧ショベルに適用されるものであって、案内部材はスイングブラケットに設けられている。このため、スイング機構を備えていない建設機械、例えば上部旋回体に突設された左右の取付座フレームにフロントが上下揺動自在に軸支されている油圧ショベルに前記特許文献のものをそのまま実施することはできないという問題があり、ここに本発明が解決しようとする課題があった。
【０００５】
【課題を解決するための手段】
本発明は、上記の如き実情に鑑み、これらの課題を解決することを目的として創作されたものであって、油圧アクチュエータを備えたフロントの基端部を、機体側に突設された左右の取付座フレームに上下揺動自在に軸支してなる建設機械において、機体側に設けられる油圧装置から前記油圧アクチュエータへの圧油流路となるフロント用油圧配管を、平面視において前記左右の取付座フレームのあいだに配するにあたり、該取付座フレームに、上記フロント用油圧配管の中間部を保持するクランプを移動自在にガイドするガイド部材を設けたことを特徴とするものである。
そして、この様にすることにより、フロント用油圧配管は、フロントの上下動に伴い伸びたり撓んだりして変形するとき、ガイド部材にガイドされながら変形することになって、他の部材装置と干渉したりすることなく円滑に変形できることになる。しかもガイド部材は、フロント用油圧配管の中間部を保持するクランプをガイドするように構成されているため、ガイド部材とフロント用油圧配管とが直接接触することはなく、フロント用油圧配管を有効に保護できる。
また、このものにおいて、クランプは、ガイド部材に形成されるガイド溝に、上下移動自在および角度変位自在な状態でガイドされるように構成することにより、ガイド部材は、フロント用油圧配管の円滑な変形を妨げることなくフロント用油圧配管をガイドすることができる。
さらに、ガイド部材を、取付座フレームから上方に突出させることにより、左右の取付座フレーム間に配設される部材装置と油圧ホースとの干渉を回避する構成にすることができる。
【０００６】
【発明の実施の形態】
次に、本発明の実施の形態を図面に基づいて説明する。図面において、１は油圧ショベルであって、該油圧ショベル１は、クローラ式の下部走行体２、該下部走行体２に旋回自在に支持される上部旋回体３、該上部旋回体３に装着されるフロント４等の各部から構成されており、さらに該フロント４は、ブーム５、アーム６、バケット７等から構成されると共に、アームシリンダ８、バケットシリンダ９等の油圧アクチュエータを備えている。そして、これらアームシリンダ８、バケットシリンダ９は、後述するフロント用油圧配管１０を経由してなされる圧油の供給排出に基づいて伸縮作動し、これによりアーム６、バケット７が動作する等の基本的構成は従来通りである。
【０００７】
ここで、前記フロント４を構成するブーム５の基端部は、上部旋回体３の基台フレーム３ａに一体的に突設される左右一対の取付座フレーム１１、１１のあいだに、該取付座フレーム１１、１１およびブーム５の基端部に形成されるボス筒部５ａを貫通する支軸１２を介して上下揺動自在に軸支されている。そしてブーム５は、ブームシリンダ１３の伸縮作動に基づき支軸１２を軸として上下揺動するように構成されているが、該ブームシリンダ１３への圧油の給排流路となる油圧配管（図示せず）はブーム５の下方に配されていて、本発明の油圧配管には含まれない。
【０００８】
また、１４は上部旋回体３を旋回させるための旋回モータ（減速器付き）であって、該旋回モータ１４は、前記左右の取付座フレーム１１、１１のあいだで、且つブーム５の基端部よりも後方の位置に配設されている。
【０００９】
さらに、１５は前記旋回モータ１４の後側上方に配設されるコントロールバルブであって、該コントロールバルブ１５には、前記アームシリンダ８、バケットシリンダ９、ブームシリンダ１３、旋回モータ１４を含めた各種油圧アクチュエータへの圧油給排制御を行うための複数のバルブがユニットとして組み込まれていると共に、図示しない油圧ポンプや油タンク、油圧アクチュエータ等の油圧機器装置類が配管を介して接続されている。
【００１０】
一方、前記フロント用油圧配管１０は、前述したコントロールバルブ１５からフロント４に設けられるアームシリンダ８、バケットシリンダ９への圧油の給排流路となる複数の配管であって、該フロント用油圧配管１０は、コントロールバルブ１５からブーム５の基端部に至るまでの基端側部分が可撓性を有した油圧ホース１０Ａで形成されていると共に、該油圧ホース１０Ａは、平面視において前記左右の取付座フレーム１１、１１のあいだを通るように配されている。尚、本実施の形態では、フロント４に装備される油圧アクチュエータとしてアームシリンダ８およびバケットシリンダ９を示すと共に、フロント用油圧配管１０としてアームシリンダ用、バケットシリンダ用の都合四本の配管を示したが、これに限定されることなく、例えばフロント４にブレーカ等の油圧アクチュエータを装備する場合、該油圧アクチュエータ用の配管をフロント用油圧配管１０に含む構成とすることもできる。
【００１１】
さらに、１６は前記油圧ホース１０Ａの中間部適宜位置に止着されるクランプであって、該クランプ１６は、油圧ホース１０Ａに外嵌するホルダ部１６ａの上部に突片１６ｂが突出形成されており、該突片１６ｂには、後述するガイド溝１７ａに挿通されるボルト１６ｃが取り付けられている。
【００１２】
一方、１７は前記クランプ１６の移動をガイドするためのガイド部材であって、該ガイド部材１７の下部は、取付座フレーム１１の左右内方側面部に固着されている。また、ガイド部材１７の上部は、取付座フレーム１１の上縁部からさらに上方に突出しているが、該ガイド部材１７には、上下方向を向くガイド溝１７ａが形成されている。そしてこのガイド溝１７ａに、前記クランプ１６に取り付けられたボルト１６ｃが上下方向移動自在かつ軸回り方向回動自在な状態で挿通されている。
【００１３】
ここで、前記ガイド部材１７は、左右の取付座フレーム１１、１１の左右内方側面部にそれぞれ一つづつ固着されていると共に、各ガイド部材１７には二本のガイド溝１７ａが形成されていて、一つのガイド部材１７で二本の油圧ホース１０Ａのクランプ１６をガイドできる構成になっている。而して、油圧ホース１０Ａは、二本づつが左右に分れて左右の取付座フレーム１１、１１の左右内方側面に略沿うように配されるが、この場合、ガイド部材１７は、二本の油圧ホース１０Ａを互いに干渉することなくガイドできるように中間部が折曲した形状をしている。
また、ガイド部材１７は、前述したように取付座フレーム１１の上縁部からさらに上方に突出していると共に、ガイド溝１７ａは、殆どの部分が取付座フレーム１１の上縁部よりも上方に位置するように形成されている。これにより油圧ホース１０Ａは、クランプ１６がガイド溝１７ａの下端に位置している状態であっても、取付座フレーム１１の上縁部よりも下方にはあまり突出せず、しかも前述したように左右の取付座フレーム１１、１１の左右内方側面に略沿うように配されているため、油圧ホース１０Ａが左右の取付座フレーム１１、１１のあいだに配設される旋回モータ１４等の部材装置に干渉してしまうことを回避できるようになっている。
【００１４】
扨、ブーム５が下動している状態では、油圧ホース１０Ａは略直線状に伸びているが、このとき、クランプ１６はガイド部材１７のガイド溝１７ａの上端側に位置するように設定されている（図４〜図６参照。）。この状態からブーム５を上方に揺動させると、該ブーム５の上動に伴い油圧ホース１０Ａの中間部が下方に撓むが、該油圧ホース１０Ａが撓むにつれてクランプ１６がガイド溝１７ａ内を下方に移動していき、ブーム５が最も上動したときにはクランプ１６がガイド溝１７ａの下端に位置するように設定されている（図７〜図９参照。）。而して油圧ホース１０Ａは、ブーム５の上下動に伴い、ガイド部材１７に上下移動自在かつ角度変位自在な状態でガイドされながら伸びたり撓んだりして変形するようになっているが、このとき、油圧ホース１０Ａが無理なく変形でき、且つ、前述したように、変形する油圧ホース１０Ａが取付座フレーム１１、１１間に配設される旋回モータ１４や他の部材装置に干渉することがなく、また油圧ホース１０Ａ同士の干渉も回避できるように、ガイド部材１７の形状や配設位置、ガイド溝１７ａの溝長さ寸法等が設定されている。尚、図３、図６、図９の斜視図において、右側に配される二本の油圧ホース１０Ａおよびそのガイド部材１７については省略してある。
【００１５】
叙述の如く構成されたものにおいて、フロント４に装備されるアームシリンダ８、バケットシリンダ９への圧油の給排流路となるフロント用油圧配管１０は、コントロールバルブ１５からブーム５の基端部に至るまでの基端側部分が可撓性を有する油圧ホース１０Ａで形成されているが、該油圧ホース１０Ａは、平面視においてブーム５の基端部が揺動自在に軸支される左右の取付座フレーム１１、１１のあいだに位置するように配されると共に、取付座フレーム１１には、油圧ホース１０Ａの中間部を保持するクランプ１６を上下方向移動自在かつ角度変位自在な状態で支持するガイド部材１７が固着されている。
【００１６】
この結果、フロント４の上下動に伴い油圧ホース１０Ａが伸びたり撓んだりするとき、該油圧ホース１０Ａは、取付座フレーム１１に固着されたガイド部材１７にガイドされながら変形することになり、而して油圧ホース１０Ａは、取付座フレーム１１、１１間に配設される旋回モータ１４や他の部材装置に干渉したりすることなく円滑に変形できることになって、油圧ホース１０Ａの耐久性の向上に貢献できる。
しかもこのものにおいて、ガイド部材１７は、油圧ホース１０Ａを保持するクランプ１６を移動自在にガイドするものであるから、油圧ホース１０Ａが直接ガイド部材１７に接触することはなく、もって、油圧ホース１０Ａとガイド部材１７とが擦れて油圧ホース１０Ａの早期の損傷を招来してしまうようなことがなく、油圧ホース１０Ａを有効に保護できる。
【００１７】
尚、本発明は上記実施の形態に限定されないことは勿論であって、上記実施の形態では一つのガイド部材で二本の油圧ホースのガイドを行う構成になっているが、一つのガイド部材で一本の油圧ホース、あるいは三本以上の油圧ホースのガイドを行う構成にすることも、勿論できる。
また、上記実施の形態では、ガイド部材１７のガイド溝１７ａは直線状に形成されているが、ガイド溝の一部あるいは全部を曲線状に形成することもできる。
【図面の簡単な説明】
【図１】油圧ショベルの側面図である。
【図２】油圧ショベルの平面図である。
【図３】ガイド部材を示す要部拡大斜視図である。
【図４】ブーム下動状態における要部平面図である。
【図５】ブーム下動状態における要部側面図である。
【図６】ブーム下動状態における要部斜視図である。
【図７】ブーム上動状態における要部平面図である。
【図８】ブーム上動状態における要部側面図である。
【図９】ブーム上動状態における要部斜視図である。
【符号の説明】
４    フロント
５    ブーム
６    アーム
７    バケット
８    アームシリンダ
９    バケットシリンダ
１０    フロント用油圧配管
１０Ａ  油圧ホース
１１    取付座フレーム
１２    支軸
１５    コントロールバルブ
１６    クランプ
１７    ガイド部材
１７ａ  ガイド溝
【図１】
2004250990.tif 000003
【図２】
2004250990.tif 000004
【図３】
2004250990.tif 000005
【図４】
2004250990.tif 000006
【図５】
2004250990.tif 000007
【図６】
2004250990.tif 000008
【図７】
2004250990.tif 000009
【図８】
2004250990.tif 000010
【図９】
2004250990.tif 000011